(57)【要約】  【課題】  石積みを撤去することなく、既存の状態で補修可能な石積みの補修方法を提供する。  【解決手段】  この石積み１の補修方法は、背後が軟弱化もしくは空洞２１が生じた石積み１を補修する方法である。石２と石２との間の目地１３に接合剤２３を充填してその目地１３を密封しつつ接着した後、前記空洞２１へ接着性を有する充填材２７を注入することによって各石２同士を接着させる。【選択図】      図４
2005036636.tif 000002
【特許請求の範囲】
【請求項１】
背後が軟弱化もしくは空洞が生じた石積みを補修する方法であって、石と石との間の目地に接合剤を充填してその目地を密封しつつ接着した後、前記空洞へ接着性を有する充填材を注入することによって各石同士を接着させる石積みの補修方法。
【請求項２】
前記目地には、接合剤を充填する前に予め下地を形成する下地剤を塗布する請求項１に記載の石積みの補修方法。
【請求項３】
前記目地に接合剤が充填される前もしくは充填された同接合剤が固化する前に、一端部をその周囲の前記充填材によって前記石に接着させて他端部を前記石積みの背面側に設けられる素地部に貫入させる複数のアンカー部材を略水平に配列されるように前記目地から打設する請求項１または２に記載の石積みの補修方法。
【発明の詳細な説明】
【技術分野】
【０００１】
本発明は、石積みの補修方法に関する。
【背景技術】
【０００２】
古くからある間知石の石積みには、石と石との間にコンクリートやモルタルを充填した練り積みと、石のみで積み上げた空積みがある。これらの練り積みもしくは空積みされた石積みは、長年の雨水等に暴露されることによって、石積みの背面に設けられる砂利や土からなる裏込材等が、石と石との隙間（目地）から雨水とともに流出する場合がある。この場合には、石積みの背後の裏込材等が流出することによって軟弱化するとともに空洞が形成され、その空洞によって石積みの支持バランスが乱れ、崩れ易くなる。
【０００３】
しかし、その空洞を埋める等の補修を行うとなると、石積みの全面撤去及び組み直しが必要となり、大掛かりな補修工事となる。また、石を撤去する作業中には、背面側の土が崩れる場合があるため、その対策が必要となる。更に、石積みの上には、通常、人家がある場合が多く、直下にも人家や道路がある場合が多いため、補修工事を行うには安全に対する万全の対策が必要となる。
このように、石積みの補修には、多大な手間と費用とが必要とされていた。
上記の状況下において、石積みを全面撤去して積み直すことなく、既存のままで石積みを補修する方法として、特許文献１に記載のものが提案されている。
この石積みの補修方法は、柔軟なシート製の袋を石積みの正面側の隙間から挿入し、袋内に充填材を充填し、袋を介して充填材を空洞内に充満させ、ついで充填材を硬化させる方法である。
【０００４】
【特許文献１】第２８３６０６０号公報（第１頁、第１図）
【発明の開示】
【発明が解決しようとする課題】
【０００５】
しかしながら、従来の石積みの補修方法では、充填材が袋を介して空洞に充填されるため、ただ単に空洞に充填材を充填したにすぎず、充填材は石と石との接着には寄与していない。すなわち、この補修方法では、石積みの支持バランスを回復させることはできるが、石積みの背面側から受ける土圧に対する強度を回復させることはできなかった。
本発明は、上記の事情に鑑みてなされたもので、石積みを撤去することなく、既存の状態で補修可能であるとともに、十分な強度を回復することができる石積みの補修方法を提供することを目的とする。
【課題を解決するための手段】
【０００６】
本発明は、背後が軟弱化もしくは空洞が生じた石積みを補修する方法であって、石と石との間の目地に接合剤を充填してその目地を密封しつつ接着した後、前記空洞へ接着性を有する充填材を注入することによって各石同士を接着させる。
本発明によれば、目地を接合剤で密封しつつ接着することによって、石積みの表面側から軟弱化もしくは空洞が生じた背面へ確実に充填材を充填することができる。従って、石積みを撤去することなく、既存の状態で補修が可能である。また、目地を接着剤で接着するとともに、充填材によって各石同士を接着させるので、十分な強度を回復することができる。
【０００７】
また、前記目地には、接合剤を充填する前に予め下地を形成する下地剤を塗布するのが好ましい。
この場合には、目地に下地剤が形成されているので、接合剤の接着性を向上させることができる。
【０００８】
また、前記目地に接合剤が充填される前もしくは充填された同接合剤が固化する前に、一端部をその周囲の前記充填材によって前記石に接着させて他端部を前記石積みの背面側に設けられる素地部に貫入させる複数のアンカー部材を略水平に配列されるように前記目地から打設するのが好ましい。
この場合には、目地から略水平に配列されるように打設された複数のアンカー部材の一端部が、その周囲の充填材によって石に接着されて一体化する。そして、同他端部が素地部に貫入されることによって引抜抵抗が生じ、他端部が素地部に定着される。従って、石積みの素地部に対する定着性が向上する。また、素地部にアンカー部材の他端部が貫入されることで、素地部における摩擦抵抗が増大するので、アンカー部材を打設しない場合と比べて石積みの背面側に生じる土圧をより小さくすることができる。
【発明を実施するための最良の形態】
【０００９】
以下、図面を参照しつつ、本発明の実施形態を説明する。
図１（ａ）に、本発明の石積みの補修方法が適用される石積み１を示し、図１（ｂ）に、石積み１を構成する石２の斜視図を示す。また、図２に、図１（ａ）に示す石積み１の横断面図を示す。
石積み１は、重力式擁壁の一種で、がけ等の素地斜面部３において、素地斜面部３を構成する土砂等が雨水や風等によって浸食されるのを防ぐとともに、土砂等から受ける土圧Ｆによって、素地斜面部３が崩れることを防止する役目を果たしている。
【００１０】
石積み１は、基礎部４上に積み上げられた石積み本体５と、石積み本体５と素地斜面部３との間に設けられた背面部６と、石積み本体５及び背面部６の上端に盛り土された天端７とを備えている。この石積み１は、素地斜面部３に凭れるように形成されており、石積み１の下部は、盛土８によって埋設されている。
基礎部４は、例えば、クラッシャーランからなる下基礎９と、下基礎９の上面に設けられた、例えば、コンクリートからなる上基礎１０とを有しており、石積み本体５を支持している。
【００１１】
石積み本体５は、石２として、例えば、控え１１が四方落としされた楔形状の間知石と、各間知石２との間に形成される目地１３とを有している。この石積み本体５は、例えば、セメントやモルタル等が用いられない空積みで積み上げられ、各間知石２が谷積みされている。
間知石２は、例えば、花崗岩質からなり、石積み１の表面となる矩形状の面１４と、面１４の周縁の合端１５と、楔状の胴１６と、面１４の背面側の友面１７とを有している。
【００１２】
背面部６は、例えば、比較的粒径の大きな砂利及び砂からなる裏込材１９で構成されており、間知石本体５と素地斜面部との間に裏込材層２０を形成している。裏込材１９は、各間知石２の各胴１６間にも込められており、各間知石２を位置固定している。また、裏込材層２０は、凭れ掛かる石積み本体５を背面側から支持するとともに、目地１３、天端７及び素地斜面部３側から侵入する雨水等を石積み本体５の背面側で滞留するのを防止している。
【００１３】
図３に、長年に亘って自然環境に暴露された状態の石積み１の横断面図を示す。
この石積み１は、長年に亘って自然環境に暴露されることによって、特に、雨水が目地１３、天端７及び素地斜面部３側から侵入することによって、背面部６の裏込材１９が雨水とともに流出し、石積み本体５と素地斜面部３との間に空洞２１が形成されている。このように、石積み１に空洞２１が形成されると、石積み１は、各間知石２を支持する力のバランスが乱れ、石積み本体５が崩れ易い状態となる。また、素地斜面部３側から受ける土圧Ｆに耐えることができなくなる。
【００１４】
図４（ａ）〜（ｃ）に、本発明の石積みの補修工法を示す。
ここで、石積み１に形成された空洞２１を、石積み１を撤去することなく、既存の状態で補修する方法について説明する。
まず、目地１３を密封する作業を行う。図３（ａ）に示すように、各間知石２の目地１３を、例えば、高圧洗浄装置から噴射される高圧水（図示せず）によって予め洗浄し、コケやごみ等の異物を除去する。次に、洗浄された目地１３に、例えば、エポキシ樹脂からなる下地剤２２を塗布し、十分に固化させる。
【００１５】
下地が形成された目地１３に、粘土状の、例えば、エポキシ樹脂からなる接合剤２３を、例えば、ガンタイプの注入機（図示せず）によって充填するか、又は、手詰めによって充填し、目地１３を密封するとともに接着する。
続いて、図３（ｂ）に示すように、例えば、塩化ビニルの排水管２６を所定の間隔をおいて配設する。排水管２６は、間知石２の面１４から背面部６の裏込材層２０まで、例えば、ホールソーを用いて貫通穴を開けて配設する。排水管２６と貫通穴との隙間には、例えば、モルタルを充填して固定する。
上記のように、目地１３を密封しつつ接着する一連の作業を、谷積みされた間知石２の、例えば、２段目まで実施する。
【００１６】
各間知石２の目地１３が密封、接着された後、空洞２１に充填材２７を充填する作業を行う。図３（ｃ）に示すように、目地１３が密封、接着されていない、例えば、谷積みされた間知石２の２段目より上側の目地１３から、充填材２７として、例えば、モルタルを漏斗２８を用いて流し込む。流し込まれたモルタル２７は、自重によって流動し、目地１３が補修された石積み１の空洞２１に充填される。空洞２１に充填されたモルタル２７が硬化した後、谷積みされた間知石２の２段目より上側において、目地１３を密封、接着する作業から空洞２１にモルタル２７を充填する作業までを繰り返し行い、石積み１の全面の補修が完了する。
【００１７】
上記の本発明に係る補修方法は、各間知石２の目地１３を洗浄することによって、下地剤２２の定着性が向上しているので、下地剤２２が間知石２から剥離するのを防止できる。また、下地剤２２が強固に形成されているので、目地１３における接合剤２３の接着性が良い。更に、目地１３が接合剤２３によって接着されるとともに、空洞２１に充填されるモルタル２７によって、各間知石２の胴１６が接着されるので、各間知石２がより一層強固に固定される。つまり、石積み１の支持バランスが回復するとともに、石積み１の土圧Ｆに対する強度が向上する。
【００１８】
補修作業の途中においては、目地１３に充填した接合剤２３によって、各間知石２が接着されるので、石積み１のズレや崩れを防止できる。また、目地１３が接合剤２３によって密封されているので、充填されるモルタル２７が、目地１３から表面側に流出することがなく、モルタル２７を空洞２１に確実に充填できる。また、石積み１の高さ方向において、補修する範囲を下側から数回に分けて行うので、モルタル２７を注入する目地１３の位置と、充填しようとする空洞２１の位置との距離を短くすることができるので、モルタル２７が容易に流れ込む。
【００１９】
なお、本発明は前記した実施形態に限定されるものではない。
例えば、補修対象となる石積み１は、間知石２が平積みされていても良く、その積み方を限定するものではない。また、本発明の石積み１の補修方法は、空積み及び練り積みのどちらにも適用可能であり、背面部６に空洞２１が生じていない軟弱化した石積み１にも適用できる。
【００２０】
図５は、本発明の他の実施形態に係る石積み１の横断面を示しており、図６は、図５におけるＡ部を模式的に示している。
図に示すように、本実施形態が上記の実施形態と異なる点は、目地１３に石積み１の素地斜面部３に対する定着性を向上させるアンカー部材３０を打設している点である。具体的には、図５に示すように、一端部３０ａをその周囲のモルタル２７によって間知石２に接着させ、他端部３０ｂを石積み１の背面側に設けられる素地斜面部（素地部）３に貫入させる複数のアンカー部材３０が、略水平に配列されるように目地１３から打設されている。
【００２１】
アンカー部材３０は、例えば板幅が３０〜４０ｍｍ、板厚が３〜４ｍｍ程度の鋼板からなるもので、目地１３から裏込材層２０を貫通して素地斜面部３に亘って設けられている。このアンカー部材３０の一端部３０ａは、各間知石２の胴１６の周囲に充填されたモルタル３０によって間知石２と強固に接着されており、アンカー部材３０が間知石２と一体化されている。また、各間知石２の目地１３を密封、接着する接合剤２３もアンカー部材３０の一端部３０ａと間知石２との接着に寄与している。他端部３０ｂは、素地斜面部３との間で所定の引抜抵抗が得られるように素地斜面部３に貫入されており、アンカー部材３０が、素地斜面部３から容易に抜けないようになっている。
【００２２】
なお、アンカー部材３０の板長さ及び打設する本数は、石積み１の積み上げ高さや素地斜面部３の土質などによって適宜選択される。また、アンカー部材３０は、異形断面を有する棒状綱でもよく、目地１３から打ち込むことができればその形状を限定しない。また、アンカー部材３０の一端部３０ａには、モルタル２７との接着性を向上するための凹凸が形成されてもよい。この場合には、アンカー部材３０と間知石２とをより一層強固に接着することができる。同様に、アンカー部材３０の他端部３０ｂに、素地斜面部３との引抜抵抗を増大させるための凹凸が形成されてもよい。この場合は、アンカー部材３０の素地斜面部３に対する定着性がより一層向上する。
【００２３】
アンカー部材３０の打設は、打設しようとする目地１３に接合剤２３が充填される前、もしくは充填された接合剤２３が固化する前に行う。打ち込みにはハンマーや圧入機などを用い、目地１３から素地斜面部３に向かって打ち込む。この時、複数のアンカー部材３０が、略水平に配列されるように打ち込む。打ち込み後は、先の実施形態で示した手順に従って補修を行うとよい。
なお、アンカー部材３０の打設は、打設する目地１３が接合剤２３で密封、接着される前であればよい。従って、モルタル２７が充填されていない状態でもよく、モルタル２７が充填されていても当該モルタルが凝固していない状態であれば打設可能である。
【００２４】
本実施形態の補修方法によれば、目地１３から略水平に配列されるように打設された複数のアンカー部材３０の一端部３０ａが、その周囲のモルタル２７によって間知石２に接着されて一体化する。そして、同他端部３０ｂが素地斜面部３に貫入されて引抜抵抗が生じて当該素地斜面部３に定着される。従って、石積み１の素地斜面部３に対する定着性が向上する。また、素地斜面部３にアンカー部材３０の他端部３０ｂが貫入されることで、素地斜面部３における摩擦抵抗が増大するので、アンカー部材３０を打設しない場合に比べて石積み１の背面側に生じる土圧Ｆをより小さくすることができる。さらに、複数のアンカー部材３０が裏込材層２０を略水平に貫通しているので、裏込材１９の流動に対する抑止効果も得られる。
〔発明の効果〕
【００２５】
本発明によれば、目地が密封されつつ接着されているので、石積みの表面側から軟弱化もしくは空洞が生じた背面へ確実に充填材を充填することができる。つまり、石積みを撤去することなく既存の状態で補修することが可能である。また、各石は、目地が接合剤によって接着されるとともに、軟弱化もしくは空洞が生じた背後に充填される充填材によって、各石同士が接着されるので、十分な強度を回復することができる。
更に、石積みを撤去する場合に比べて、補修に要する手間と時間とを削減することができるとともに、石を撤去する重機類も不要であるので、補修費を大幅に削減することができる。
【図面の簡単な説明】
【００２６】
【図１】（ａ）は、本発明に係る石積みの補修方法が適用される石積みの正面図であり、（ｂ）は、石積みを構成する石の斜視図である。
【図２】本発明に係る石積みの補修方法が適用される石積みの横断面図である。
【図３】自然環境に長期暴露された石積みの横断面図である。
【図４】本発明に係る石積みの補修状態を示した石積みの部分拡大図である。
【図５】本発明の他の実施形態に係る石積みの補修方法が適用された石積みの横断面図である。
【図６】図５におけるＡ部を模式的に示す拡大図である。
【符号の説明】
【００２７】
１      石積み
２      間知石（石）
３      素地斜面部（素地部）
１３    目地
２１    空洞
２２    下地剤
２３    接合剤
２７    モルタル（充填材）
３０    アンカー部材
【図１】
2005036636.tif 000003
【図２】
2005036636.tif 000004
【図３】
2005036636.tif 000005
【図４】
2005036636.tif 000006
【図５】
2005036636.tif 000007
【図６】
2005036636.tif 000008